(57)【要約】  ランダム・アクセスのための方法および装置が、本発明において提供される。本発明のある実施形態によると、基地局が、複数のプリアンブル群を設定し、所定の条件に従って、それぞれのプリアンブル群に対して少なくとも１つのプリアンブルを設定し、それぞれのプリアンブル群と関連する情報を含むプリアンブル設定情報を、それぞれのユーザ機器にブロードキャストする。ユーザ機器が、受信されたプリアンブル設定情報と、ユーザ機器自体によってサポートされている通信帯域幅とに従って、対応するプリアンブル群を選択し、選択されたプリアンブル群から１つのプリアンブルをランダムに選択して、それを基地局に送信する。基地局は、受信されたプリアンブルに従って、ユーザ機器によってサポートされている通信帯域幅を決定し、ユーザ機器によってサポートされている通信帯域幅の範囲内で、ユーザ機器との更なる通信を行う。この方法を通じて、広いシステム帯域幅の場合に、狭帯域のユーザ機器の通信もまた、簡潔および効率的にサポートされることが可能になり、従って、狭帯域のユーザ機器の応用が改善される。
2015509687.tif 000002
【特許請求の範囲】
【請求項１】
基地局においてランダム・アクセスを行うための方法であって、ユーザ機器が前記基地局によってサービスされる、方法において、
（Ａ）複数のプリアンブル群を設定し、所定の条件に従って前記それぞれのプリアンブル群に対して少なくとも１つのプリアンブルを設定するステップと、
（Ｂ）前記それぞれのプリアンブル群と関連する情報を含むプリアンブル設定情報を、前記それぞれのユーザ機器にブロードキャストするステップと、
（Ｃ）前記ユーザ機器からプリアンブルを受信するステップと、
（Ｄ）前記受信されたプリアンブルに従って、前記ユーザ機器によってサポートされている通信帯域幅を決定するステップと、
（Ｅ）前記ユーザ機器によってサポートされている通信帯域幅の範囲内で、前記ユーザ機器との更なる通信を行うステップと、
を含む方法。
【請求項２】
前記ステップＡが、それぞれ広帯域ユーザ機器および狭帯域ユーザ機器に用いられる２つのプリアンブル群を設定するステップと、所定の条件に従って前記それぞれのプリアンブル群に対して少なくとも１つのプリアンブルを設定するステップと、を含む、請求項１に記載の方法。
【請求項３】
前記ステップＡが、非競合ランダム・アクセスのユーザ機器と、１．４ＭＨｚのユーザ機器と、３ＭＨｚのユーザ機器と、５ＭＨｚのユーザ機器と、１０ＭＨｚのユーザ機器と、１５ＭＨｚのユーザ機器と、２０ＭＨｚのユーザ機器とに用いられる７つのプリアンブル群を設定するステップと、所定の条件に従って前記それぞれのプリアンブル群に対して少なくとも１つのプリアンブルを設定するステップと、を含む、請求項１に記載の方法。
【請求項４】
前記所定の条件が、前記基地局のカバレッジにおける前記ユーザ機器のタイプと、それぞれのタイプの前記ユーザ機器の個数と、前記ユーザ機器の通信要件と、システム帯域幅との中の少なくともいずれか１つを含む、請求項１乃至３のいずれか１項に記載の方法。
【請求項５】
基地局によってサービスされるユーザ機器においてランダム・アクセスを行うための方法であって、
（ａ）それぞれのプリアンブル群と関連する情報を含むプリアンブル設定情報を、前記基地局から受信するステップと、
（ｂ）前記受信されたプリアンブル設定情報と前記ユーザ機器自体によってサポートされている通信帯域幅とに従って対応するプリアンブル群を選択し、前記選択されたプリアンブル群からランダムに１つのプリアンブルを選択するステップと、
（ｃ）前記選択されたプリアンブルを前記基地局に送信するステップと、
（ｄ）前記ユーザ機器によってサポートされている通信帯域幅の範囲内で、前記基地局との更なる通信を行うステップと、
を含む方法。
【請求項６】
それぞれ広帯域ユーザ機器および狭帯域ユーザ機器に用いられる２つのプリアンブル群が存在しており、それぞれのプリアンブル群は少なくとも１つのプリアンブルを用いて設定されている、請求項５に記載の方法。
【請求項７】
非競合ランダム・アクセスのユーザ機器と、１．４ＭＨｚのユーザ機器と、３ＭＨｚのユーザ機器と、５ＭＨｚのユーザ機器と、１０ＭＨｚのユーザ機器と、１５ＭＨｚのユーザ機器と、２０ＭＨｚのユーザ機器とに用いられる７つのプリアンブル群が存在しており、それぞれのプリアンブル群は少なくとも１つのプリアンブルを用いて設定されている、請求項５に記載の方法。
【請求項８】
基地局においてランダム・アクセスを行うための装置であって、ユーザ機器が前記基地局によってサービスされる、装置において、
複数のプリアンブル群を設定し、所定の条件に従って前記それぞれのプリアンブル群に対して少なくとも１つのプリアンブルを設定する設定手段と、
前記それぞれのプリアンブル群と関連する情報を含むプリアンブル設定情報を、前記それぞれのユーザ機器にブロードキャストするブロードキャスト手段と、
前記ユーザ機器からプリアンブルを受信する第１の受信手段と、
前記受信されたプリアンブルに従って、前記ユーザ機器によってサポートされている通信帯域幅を決定する決定手段と、
前記ユーザ機器によってサポートされている通信帯域幅の範囲内で、前記ユーザ機器との更なる通信を行う第１の通信手段と、
を備える装置。
【請求項９】
前記設定手段が、それぞれ広帯域ユーザ機器および狭帯域ユーザ機器に用いられる２つのプリアンブル群を設定し、所定の条件に従って前記それぞれのプリアンブル群に対して少なくとも１つのプリアンブルを設定するのに用いられる、請求項８に記載の装置。
【請求項１０】
前記設定手段が、非競合ランダム・アクセスのユーザ機器と、１．４ＭＨｚのユーザ機器と、３ＭＨｚのユーザ機器と、５ＭＨｚのユーザ機器と、１０ＭＨｚのユーザ機器と、１５ＭＨｚのユーザ機器と、２０ＭＨｚのユーザ機器とに用いられる７つのプリアンブル群を設定し、所定の条件に従って前記それぞれのプリアンブル群に対して少なくとも１つのプリアンブルを設定するのに用いられる、請求項８に記載の装置。
【請求項１１】
前記所定の条件が、前記基地局のカバレッジにおける前記ユーザ機器のタイプと、それぞれのタイプの前記ユーザ機器の個数と、前記ユーザ機器の通信要件と、システム帯域幅との中の少なくともいずれか１つを含む、請求項８乃至１０のいずれか１項に記載の装置。
【請求項１２】
基地局によってサービスされるユーザ機器においてランダム・アクセスを行うための装置であって、
それぞれのプリアンブル群と関連する情報を含むプリアンブル設定情報を、前記基地局から受信する第２の受信手段と、
前記受信されたプリアンブル設定情報と前記ユーザ機器自体によってサポートされている通信帯域幅とに従って対応するプリアンブル群を選択し、前記選択されたプリアンブル群からランダムに１つのプリアンブルを選択する選択手段と、
前記選択されたプリアンブルを前記基地局に送信する送信手段と、
前記ユーザ機器によってサポートされている通信帯域幅の範囲内で、前記基地局との更なる通信を行う第２の通信手段と、
を備える装置。
【請求項１３】
それぞれ広帯域ユーザ機器および狭帯域ユーザ機器に用いられる２つのプリアンブル群が存在しており、それぞれのプリアンブル群は少なくとも１つのプリアンブルを用いて設定されている、請求項１２に記載の装置。
【請求項１４】
非競合ランダム・アクセスのユーザ機器と、１．４ＭＨｚのユーザ機器と、３ＭＨｚのユーザ機器と、５ＭＨｚのユーザ機器と、１０ＭＨｚのユーザ機器と、１５ＭＨｚのユーザ機器と、２０ＭＨｚのユーザ機器とに用いられる７つのプリアンブル群が存在しており、それぞれのプリアンブル群は少なくとも１つのプリアンブルを用いて設定されている、請求項１２に記載の装置。
【発明の詳細な説明】
【技術分野】
【０００１】
本発明は、通信システムに関し、より詳細には、ランダム・アクセスのための方法および装置に関する。
【背景技術】
【０００２】
ＭＴＣ（マシン・タイプ・コミュニケーション）は、ＬＴＥシステムにおいて新たに導入されたプロジェクトである。これまでに、多くのオペレータが、ＭＴＣに対して大きな興味を示してきている。
【０００３】
現在の３ＧＰＰ  ＬＴＥシステムでは、プリアンブルは、システム帯域幅の中心帯域の６つのリソース・ブロックにおいて送信される。そうすることにより、基地局は、プリアンブルを、それぞれのユーザ機器から、困難なく受け取ることができる。しかし、例えばＲＡＲ（ランダム・アクセス応答）など、基地局からのメッセージの場合には、そのメッセージを送信するのに用いられる通信帯域幅に、制限がない。よって、メッセージはシステム帯域幅全体のどこに現れることも可能であり、更に、基地局は、その時点でユーザ機器によってサポートされている通信帯域幅を認識していない。別の側面では、例えばＭＴＣユーザ機器など、狭帯域のユーザ機器は、１．４ＭＨｚなどの限られた通信帯域幅しかサポートしない。よって、狭帯域のユーザ機器は、基地局からのメッセージを受け取らない場合があるため、アクセス手順を確立することができない。従って、広いシステム帯域幅の場合に、狭帯域のユーザ機器の通信をどのようにすれば簡潔かつ効率的にサポートできるのかは、困難な問題である。
【発明の概要】
【発明が解決しようとする課題】
【０００４】
このように、従来技術に存在する欠陥は、例えばＭＴＣユーザ機器などの狭帯域のユーザ機器がランダム・アクセス手順の間は基地局からメッセージを受信できない場合があり、それによって、アクセス手順を実現できないことである。
【課題を解決するための手段】
【０００５】
従来技術における以上の問題に対処するため、本発明の第１の態様によると、基地局においてランダム・アクセスを行う（proceed）ための方法であって、ユーザ機器が基地局によってサービスされる、方法が提供され、この方法は、（Ａ）複数のプリアンブル群を設定し、所定の条件に従って、それぞれのプリアンブル群に対して少なくとも１つのプリアンブルを設定するステップと、（Ｂ）それぞれのプリアンブル群と関連する情報を含むプリアンブル設定情報を、それぞれのユーザ機器にブロードキャストするステップと、（Ｃ）ユーザ機器からプリアンブルを受信するステップと、（Ｄ）受信されたプリアンブルに従って、ユーザ機器によってサポートされている通信帯域幅を決定するステップと、（Ｅ）ユーザ機器によってサポートされている通信帯域幅の範囲内で、ユーザ機器との更なる通信を行うステップとを含む。特に、ステップＢにおいて、それぞれのプリアンブル群と関連する情報は、例えば、基地局がプリアンブルを設定したプリアンブル群はいくつあるのか、それぞれのプリアンブル群がそれぞれ適しているユーザ機器の通信帯域幅の種類はどのようなものであるか、どのプリアンブルがそれぞれのプリアンブル群の中にあるのか、を含む。
【０００６】
本発明のある実施形態によると、ステップＡは、それぞれ広帯域ユーザ機器および狭帯域ユーザ機器に用いられる２つのプリアンブル群を設定するステップと、所定の条件に従ってそれぞれのプリアンブル群に対して少なくとも１つのプリアンブルを設定するステップと、を含む。特に、基地局は、それぞれ広帯域ユーザ機器および狭帯域ユーザ機器に適している２つのプリアンブル群へのプリアンブルを設定することができ、それにより、広帯域ユーザ機器と狭帯域ユーザ機器とは対応するプリアンブル群を選択することができる。
【０００７】
本発明のある実施形態によると、ステップＡは、非競合ランダム・アクセスのユーザ機器と、１．４ＭＨｚのユーザ機器と、３ＭＨｚのユーザ機器と、５ＭＨｚのユーザ機器と、１０ＭＨｚのユーザ機器と、１５ＭＨｚのユーザ機器と、２０ＭＨｚのユーザ機器とに用いられる７つのプリアンブル群を設定するステップと、所定の条件に従ってそれぞれのプリアンブル群に対して少なくとも１つのプリアンブルを設定するステップと、を含む。特に、基地局は、異なる通信帯域幅をそれぞれ備えているユーザ機器に適した７つのプリアンブル群へのプリアンブルを設定することができ、それにより、異なるユーザ機器が対応するプリアンブル群を選択することができる。
【０００８】
本発明のある実施形態によると、所定の条件は、基地局のカバレッジにおけるユーザ機器のタイプと、それぞれのタイプのユーザ機器の個数と、ユーザ機器の通信要件と、システム帯域幅との中の少なくともいずれか１つを含む。例えば、基地局のカバレッジにおける５ＭＨｚのユーザ機器の個数が相当あるときには、基地局は、５ＭＨｚのユーザ機器に用いられるプリアンブル群のためにより多くのプリアンブルを設定することができる。基地局のカバレッジに１０ＭＨｚのユーザ機器が存在しないときには、基地局は、１０ＭＨｚのユーザ機器に用いられるプリアンブル群を設定することができない。更に、現在のシステム帯域幅とそれぞれのユーザ機器に対する通信要件とに従い、基地局は、特定の需要を満たす柔軟性を有しているプリアンブル群を設定することができる。
【０００９】
本発明の第２の態様によると、基地局によってサービスされるユーザ機器においてランダム・アクセスを行うための方法が提供され、この方法は、（ａ）それぞれのプリアンブル群と関連する情報を含むプリアンブル設定情報を、基地局から受信するステップと、（ｂ）受信されたプリアンブル設定情報とユーザ機器自体によってサポートされている通信帯域幅とに従って対応するプリアンブル群を選択し、選択されたプリアンブル群からランダムに１つのプリアンブルを選択するステップと、（ｃ）選択されたプリアンブルを基地局に送信するステップと、（ｄ）ユーザ機器によってサポートされている通信帯域幅の範囲内で、基地局との更なる通信を行うステップとを含む。特に、ステップＢでは、それぞれのプリアンブル群と関連する情報は、例えば、基地局がプリアンブルを設定したプリアンブル群はいくつあるのか、それぞれのプリアンブル群がそれぞれ適しているユーザ機器の通信帯域幅の種類はどのようなものであるか、どのプリアンブルがそれぞれのプリアンブル群の中にあるのか、を含む。
【００１０】
本発明のある実施形態によると、それぞれ広帯域ユーザ機器および狭帯域ユーザ機器に用いられる２つのプリアンブル群が存在しており、それぞれのプリアンブル群は少なくとも１つのプリアンブルを用いて設定されている。それにより、広帯域ユーザ機器と狭帯域ユーザ機器とは対応するプリアンブル群をそれぞれ選択することができる。
【００１１】
本発明のある実施形態によると、非競合（non-contention）ランダム・アクセスのユーザ機器と、１．４ＭＨｚのユーザ機器と、３ＭＨｚのユーザ機器と、５ＭＨｚのユーザ機器と、１０ＭＨｚのユーザ機器と、１５ＭＨｚのユーザ機器と、２０ＭＨｚのユーザ機器とに用いられる７つのプリアンブル群が存在しており、それぞれのプリアンブル群は少なくとも１つのプリアンブルを用いて設定されている。それにより、異なる複数のユーザ機器が、対応する適切なプリアンブル群をそれぞれ選択することができる。
【００１２】
本発明の第３の態様によると、基地局においてランダム・アクセスを行うための装置であって、ユーザ機器が基地局によってサービスされる、装置が提供され、この装置は、複数のプリアンブル群を設定し、所定の条件に従って、それぞれのプリアンブル群に対して少なくとも１つのプリアンブルを設定する設定手段と、それぞれのプリアンブル群と関連する情報を含むプリアンブル設定情報を、それぞれのユーザ機器にブロードキャストするブロードキャスト手段と、ユーザ機器からプリアンブルを受信する第１の受信手段と、受信されたプリアンブルに従って、ユーザ機器によってサポートされている通信帯域幅を決定する決定手段と、ユーザ機器によってサポートされている通信帯域幅の範囲内で、ユーザ機器との更なる通信を行う第１の通信手段とを備える。特に、それぞれのプリアンブル群と関連する情報は、例えば、基地局がプリアンブルを設定したプリアンブル群はいくつあるのか、それぞれのプリアンブル群がそれぞれ適しているユーザ機器の通信帯域幅の種類はどのようなものであるか、どのプリアンブルがそれぞれのプリアンブル群の中にあるのか、を含む。
【００１３】
本発明のある実施形態によると、設定手段は、それぞれ広帯域ユーザ機器および狭帯域ユーザ機器に用いられる２つのプリアンブル群を設定し、所定の条件に従って、それぞれのプリアンブル群に対して少なくとも１つのプリアンブルを設定するのに用いられる。
【００１４】
本発明のある実施形態によると、設定手段は、非競合ランダム・アクセスのユーザ機器と、１．４ＭＨｚのユーザ機器と、３ＭＨｚのユーザ機器と、５ＭＨｚのユーザ機器と、１０ＭＨｚのユーザ機器と、１５ＭＨｚのユーザ機器と、２０ＭＨｚのユーザ機器とに用いられる７つのプリアンブル群を設定し、所定の条件に従って、それぞれのプリアンブル群に対して少なくとも１つのプリアンブルを設定するのに用いられる。
【００１５】
本発明の第４の実施形態によると、基地局によってサービスされるユーザ機器においてランダム・アクセスを行うための装置が提供され、この装置は、それぞれのプリアンブル群と関連する情報を含むプリアンブル設定情報を、基地局から受信する第２の受信手段と、受信されたプリアンブル設定情報とユーザ機器自体によってサポートされている通信帯域幅とに従って対応するプリアンブル群を選択し、選択されたプリアンブル群からランダムに１つのプリアンブルを選択する選択手段と、選択されたプリアンブルを基地局に送信する送信手段と、ユーザ機器によってサポートされている通信帯域幅の範囲内で、基地局との更なる通信を行う第２の通信手段とを備える。
【００１６】
本発明の好適実施形態を通じて、広いシステム帯域幅の場合に、例えばＭＴＣユーザ機器などの狭帯域のユーザ機器の通信が、簡潔および効率的にサポートされることが可能になり、従って、狭帯域のユーザ機器の応用が改善され、よって、狭帯域のユーザ機器が広帯域のシステムにアクセスすることが可能になる。
【００１７】
本発明のそれぞれの態様は、以下で行う詳細な実施形態に関する説明を通じて、より明確化されるはずである。
【００１８】
応用された好適な実施形態に関する詳細な説明を次の図面と共に参照すれば、本発明の目的、効果および特徴がより明確になるであろう。
【図面の簡単な説明】
【００１９】
【図１】本発明の実施形態によるランダム・アクセス方法のフローチャートである。
【図２】本発明の実施形態により基地局側とユーザ機器側とにおいてランダム・アクセスを行うための装置のブロック図である。
【発明を実施するための形態】
【００２０】
同一または類似の参照番号は、同一または類似の装置（モジュール）またはステップ機能を指すものとする。
【００２１】
図１は、本発明のある実施形態によるランダム・アクセス方法のフローチャートを図解している。
【００２２】
示されているように、ステップＳ２１では、基地局が、複数のプリアンブル群を設定し、所定の条件に従ってそれぞれのプリアンブル群に対して少なくとも１つのプリアンブルを設定する。
【００２３】
好ましくは、基地局は、基地局のカバレッジにおけるユーザ機器のタイプとそれぞれのタイプのユーザ機器の個数とに従って、プリアンブル群を設定しうる。例えば、基地局は、広帯域のユーザ機器と狭帯域のユーザ機器とのそれぞれに用いられる２つのプリアンブル群へのプリアンブルを構成することがありうる。更に、基地局は、非競合ランダム・アクセスのユーザ機器と、１．４ＭＨｚのユーザ機器と、３ＭＨｚのユーザ機器と、５ＭＨｚのユーザ機器と、１０ＭＨｚのユーザ機器と、１５ＭＨｚのユーザ機器と、２０ＭＨｚのユーザ機器とに用いられるプリアンブル群へのプリアンブルを設定することがありうる。
【００２４】
基地局のカバレッジにおける特定のタイプのユーザ機器の個数がより多いまたはより少ないときには、基地局は、それに対応するように、このタイプのユーザ機器に用いられるプリアンブル群を設定することができる。例えば、基地局のカバレッジにおける５ＭＨｚのユーザ機器の個数が相当な個数であるときには、基地局は、５ＭＨｚのユーザ機器のために用いられるプリアンブル群に対してより多くのプリアンブルを設定することができる。しかし、基地局のカバレッジにおける１０ＭＨｚのユーザ機器の個数がそれよりも少数であるときには、基地局は、１０ＭＨｚのユーザ機器のために用いられるプリアンブル群に対してより少ないプリアンブルを設定することができる。
【００２５】
同様に、例えば、基地局のカバレッジにおいて１５ＭＨｚのユーザ機器が存在しないなど、基地局のカバレッジにおいて特定のタイプのユーザ機器が存在しない場合には、基地局は、このタイプのユーザ機器のために用いられるプリアンブル群を設定しない場合がありうる。すなわち、基地局のカバレッジにおける特定のタイプのユーザ機器の個数に基づいて、基地局は、それぞれのプリアンブル群におけるプリアンブルの個数を決定することができる。
【００２６】
好ましくは、基地局は、現時点で利用可能なシステム帯域幅に従って、プリアンブル群を設定することができる。例えば、システム帯域幅が２０ＭＨｚのユーザ機器をサポートすることができる場合には、基地局は、２０ＭＨｚのユーザ機器に用いられるプリアンブル群を設定することができる。
【００２７】
好ましくは、基地局は、それぞれのユーザ機器の通信要件に従って、非競合ランダム・アクセスのユーザ機器のために用いられるプリアンブル群を設定することができる。
【００２８】
当業者であれば、本明細書において開示されている設定の態様は例示的なものであり限定されていないことを理解するであろう。現在の状況によると、基地局は、複数のプリアンブル群を設定および調整し、それぞれのプリアンブル群におけるプリアンブルの個数を決定することができる。
【００２９】
次に、ステップＳ２２において、基地局は、それぞれのプリアンブル群と関連する情報を含むプリアンブル設定情報を、それぞれのユーザ機器にブロードキャストする。次に、ユーザ機器が、例えば、基地局がプリアンブルを設定したプリアンブル群はいくつあるのか、それぞれのプリアンブル群がそれぞれ適しているユーザ機器の通信帯域幅の種類はどのようなものであるか、どのプリアンブルがそれぞれのプリアンブル群の中にあるのかなど、それぞれのプリアンブルの詳細な設定を取得しうる。このブロードキャストステップは、例えばシステム情報ブロックを使用して達成することができる。
【００３０】
ステップＳ２３においては、ユーザ機器が、受信されたプリアンブル設定情報と、ユーザ機器自体によってサポートされる通信帯域幅とに従って、対応するプリアンブル群を選択し、選択されたプリアンブル群からランダムに１つのプリアンブルを選択する。例えば、ユーザ機器によってサポートされている通信帯域幅が１．４ＭＨｚである場合には、ユーザ機器は、１．４ＭＨｚのユーザ機器のために用いられるプリアンブル群を選択し、更に、その中から１つのプリアンブルを選択する。ユーザ機器によってサポートされる通信帯域幅が５ＭＨｚである場合には、ユーザ機器は、５ＭＨｚのユーザ機器のために用いられるプリアンブル群を選択し、更に、その中から１つのプリアンブルを選択する。
【００３１】
ステップＳ２４においては、ユーザ機器は、選択されたプリアンブルを基地局に送信する。
【００３２】
ステップＳ２５では、基地局は、受信されたプリアンブルに従って、ユーザ機器によってサポートされている通信帯域幅を決定する。特に、例えば、基地局は、１．４ＭＨｚのユーザ機器からプリアンブルを受け取ると、基地局は、そのプリアンブルがどのプリアンブル群に属しているかを検出することができ、それにより、ユーザ機器によってサポートされている通信帯域幅を決定することができる。
【００３３】
本明細書では、背景技術の項目で説明されているように、すべてのプリアンブルは、システム帯域幅の中心帯域の６つのリソース・ブロックにおいて送信され、それにより、基地局は、１．４ＭＨｚのユーザ機器からのプリアンブルを含め、それぞれのユーザ機器から、プリアンブルを困難なく受信することができる。
【００３４】
ステップＳ２６においては、基地局は、ユーザ機器によってサポートされている通信帯域幅の範囲内で、ユーザ機器との更なる通信を行う。特に、基地局は、例えばＭＴＣユーザ機器が１．４ＭＨｚであるというように、ユーザ機器の通信帯域幅を決定する。そして、基地局は、例えばＲＡＲはこの通信帯域幅に、というように、更なるメッセージのスケジューリングを行う。これにより、１．４ＭＨｚのユーザ機器は、基地局から更なるメッセージを受け取ることができ、基地局との間での更なる通信が、困難なく実装されうる。
【００３５】
以下では、プリアンブルのグループ化の後の衝突確率について、説明する。
【００３６】
ＲＡＣＨの衝突確率は、次のように与えられる。
【００３７】
【数１】
2015509687.tif 000003
【００３８】
この数式において、λはアクセス強度（access intensity）であり、Ｍはユーザ機器の総数であり、Ｔはテストのための到着期間（arrival duration）であり、ｇは特定のプリアンブル群におけるプリアンブルの個数であり、Ｎは設定された１秒当たりのサブフレームの設定個数であり、ｎは非競合ランダム・アクセスのために用いられるプリアンブルの個数である。プリアンブルのグループ化の後では、この変更確率に変化がないことを見ることができる。１０秒間の間に３０００個のユーザ機器が到着するという割合であったとしても、同時に到着するユーザ機器は６個に過ぎない。よって、プリアンブルの個数は十分である。また、例えばＥＡＢなどの配分方法を用いると、ユーザ機器の個数は、更に減少する。
【００３９】
図２は、本発明のある実施形態によって、基地局側とユーザ機器側とにおいてランダム・アクセスを行うための装置のブロック図を図解している。
【００４０】
示されているように、基地局側においてランダム・アクセスを行うための装置１０において、設定手段１０１は、複数のプリアンブル群を設定し、所定の条件に従って、それぞれのプリアンブル群に対して少なくとも１つのプリアンブルを設定するのに用いられる。ブロードキャスト手段１０２は、それぞれのプリアンブル群と関連する情報を含むプリアンブル設定情報を、それぞれのユーザ機器にブロードキャストするのに用いられる。第１の受信手段１０３は、ユーザ機器からプリアンブルを受信するのに用いられる。決定手段１０４は、受信されたプリアンブルに従って、ユーザ機器によってサポートされている通信帯域幅を決定するのに用いられる。第１の通信手段１０５は、ユーザ機器によってサポートされている通信帯域幅の範囲内で、ユーザ機器との更なる通信を行うのに用いられる。
【００４１】
好ましくは、設定手段１０１は、それぞれ広帯域ユーザ機器および狭帯域ユーザ機器に用いられる２つのプリアンブル群を設定し、所定の条件に従ってそれぞれのプリアンブル群に対して少なくとも１つのプリアンブルを設定するのに用いられる。
【００４２】
好ましくは、設定手段１０１は、非競合ランダム・アクセスのユーザ機器と、１．４ＭＨｚのユーザ機器と、３ＭＨｚのユーザ機器と、５ＭＨｚのユーザ機器と、１０ＭＨｚのユーザ機器と、１５ＭＨｚのユーザ機器と、２０ＭＨｚのユーザ機器とに用いられる７つのプリアンブル群を設定し、所定の条件に従ってそれぞれのプリアンブル群に対して少なくとも１つのプリアンブルを設定するのに用いられる。
【００４３】
好ましくは、所定の条件は、基地局のカバレッジにおけるユーザ機器のタイプと、それぞれのタイプのユーザ機器の個数と、ユーザ機器の通信要件と、システム帯域幅との中の少なくともいずれか１つを含む。
【００４４】
ユーザ機器側においてランダム・アクセスを行うための装置２０では、第２の受信手段２０１は、それぞれのプリアンブル群と関連する情報を含むプリアンブル設定情報を、基地局から受信するのに用いられる。選択手段２０２は、受信されたプリアンブル設定情報とユーザ機器自体によってサポートされている通信帯域幅とに従って、対応するプリアンブル群を選択し、選択されたプリアンブル群からランダムに１つのプリアンブルを選択するのに用いられる。送信手段２０３は、選択されたプリアンブルを基地局に送信するのに用いられる。第２の通信手段２０４は、ユーザ機器によってサポートされている通信帯域幅の範囲内で、基地局との更なる通信を行うのに用いられる。
【００４５】
当業者であれば、以上で説明された実施形態は例示であるが限定されていないことを理解するであろう。異なる複数の実施形態に現れる異なる複数の技術的特徴を、有利な効果を実現するために組み合わせることが可能である。図面、明細書、および特許請求の範囲の精査に基づけば、これらの開示されている実施形態とは別の実施形態を実現可能であることは、当業者にとって、了解可能であるはずである。特許請求の範囲では、「含む」という用語は、それ以外の装置またはステップを排除せず、不定冠詞の「ａ」は、複数であることを排除せず、「第１」および「第２」という用語は、いかなる特定の順序ではなく、名称を示すために用いられている。特許請求の範囲で図面を示唆するどのような記載が用いられていても、それは、保護範囲に対する限定として理解してはならない。特許請求の範囲において複数の部材に関する機能が記載されていても、それは、単一のハードウェアまたはソフトウェアによっても実装可能である。異なる複数の従属請求項にある技術的特徴が記載されているとしても、それは、これらの技術的特徴を組み合わせて有利な効果を得ることができないということは、意味しない。
【図１】
2015509687.tif 000004
【図２】
2015509687.tif 000005
【国際調査報告】
2015509687.tif 000006
2015509687.tif 000007
2015509687.tif 000008